(57)【要約】【課題】適切に、ＦＤＤ方式のキャリア及びＴＤＤ方式のキャリアを用いたＣＡを行う。【解決手段】本発明に係る無線基地局ｅＮＢは、ＴＤＤ方式用のＢａｎｄ４２及びＴＤＤ方式用のＢａｎｄ４３が隣接するように配置されている移動通信システムで用いられる無線基地局ｅＮＢであって、Ｂａｎｄ４２内のキャリア及びＢａｎｄ４３内のキャリアを用いてＣＡを行う際に、Ｂａｎｄ４２内のキャリアを上り専用として用い、Ｂａｎｄ４３内のキャリアを下り専用として用いるように構成されている制御部１１を具備しており、制御部１１は、Ｂａｎｄ４２内のキャリア及びＢａｎｄ４３内のキャリアのうち、Ｂａｎｄ４２とＢａｎｄ４２との境界周波数周辺の周波数を有する境界周辺キャリアにおける送信電力を、残りのキャリアの送信電力よりも低くするように構成されている。【選択図】図３
2013243483.tif 000002
【特許請求の範囲】
【請求項１】
ＴＤＤ方式用の第１バンド及びＴＤＤ方式用の第２バンドが隣接するように配置されている移動通信システムで用いられる無線基地局であって、
前記第１バンド内のキャリア及び前記第２バンド内のキャリアを用いてキャリアアグリゲーションを行う際に、該第１バンド内のキャリアを上り専用として用い、該第２バンド内のキャリアを下り専用として用いるように構成されている制御部を具備しており、
前記制御部は、前記第１バンド内のキャリア及び前記第２バンド内のキャリアのうち、該第１バンドと該第２バンドとの境界周波数周辺の周波数を有する境界周辺キャリアにおける送信電力を、残りのキャリアの送信電力よりも低くするように構成されていることを特徴とする無線基地局。
【請求項２】
前記制御部は、前記第１バンド内のキャリア及び前記第２バンド内のキャリアのうち、前記境界周波数に近い方から順に、それぞれ所定数のキャリアを、前記境界周辺キャリアとするように構成されていることを特徴とする請求項１に記載の無線基地局。
【請求項３】
前記制御部は、前記第１バンド内のキャリア及び前記第２バンド内のキャリアのうち、前記境界周波数との間の周波数オフセットが所定閾値以内のキャリアを、前記境界周辺キャリアとするように構成されていることを特徴とする請求項１に記載の無線基地局。
【発明の詳細な説明】
【技術分野】
【０００１】
本発明は、無線基地局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式では、ＰＣＣ（Ｐｒｉｍａｒｙ  Ｃｏｍｐｏｎｅｎｔ  Ｃａｒｒｉｅｒ、プライマリキャリア）におけるサービングセルであるＰｃｅｌｌ（Ｐｒｉｍａｒｙ  Ｃｅｌｌ、プライマリセル）及びＳＣＣ（Ｓｅｃｏｎｄａｒｙ  Ｃｏｍｐｏｎｅｎｔ  Ｃａｒｒｉｅｒ、セカンダリキャリア）におけるサービングセルであるＳｃｅｌｌ（Ｓｅｃｏｎｄａｒｙ  Ｃｅｌｌ、セカンダリセル）を用いて、ＣＡ（Ｃａｒｒｉｅｒ  Ａｇｇｒｅｇａｔｉｏｎ、キャリアアグリゲーション）を行うことができる。
【０００３】
なお、Ｒｅｌｅａｓｅ１１までのＬＴＥ-Ａｄｖａｎｃｅｄ方式では、複数のＦＤＤ（Ｆｒｅｑｕｅｎｃｙ  Ｄｉｖｉｓｉｏｎ  Ｄｕｐｌｅｘ）方式のキャリアを用いたＣＡ、及び、複数のＴＤＤ（Ｔｉｍｅ  Ｄｉｖｉｓｉｏｎ  Ｄｕｐｌｅｘ）方式のキャリアを用いたＣＡを行うことができる。
【先行技術文献】
【非特許文献】
【０００４】
【非特許文献１】３ＧＰＰ  ＴＳ３６.３００
【非特許文献２】３ＧＰＰ  ＴＳ３６.２１１
【非特許文献３】３ＧＰＰ  ＴＳ３６.２１２
【非特許文献４】３ＧＰＰ  ＴＳ３６.２１３
【発明の概要】
【発明が解決しようとする課題】
【０００５】
これに対して、Ｒｅｌｅａｓｅ１２のＬＴＥ-Ａｄｖａｎｃｅｄ方式では、ＦＤＤ方式のキャリア及びＴＤＤ方式のキャリアを用いたＣＡを行うことについて検討されようとしている。
【０００６】
そこで、本発明は、上述の課題に鑑みてなされたものであり、適切に、ＦＤＤ方式のキャリア及びＴＤＤ方式のキャリアを用いたＣＡを行うことができる無線基地局を提供することを目的とする。
【課題を解決するための手段】
【０００７】
本発明の第１の特徴は、ＴＤＤ方式用の第１バンド及びＴＤＤ方式用の第２バンドが隣接するように配置されている移動通信システムで用いられる無線基地局であって、前記第１バンド内のキャリア及び前記第２バンド内のキャリアを用いてキャリアアグリゲーションを行う際に、該第１バンド内のキャリアを上り専用として用い、該第２バンド内のキャリアを下り専用として用いるように構成されている制御部を具備しており、前記制御部は、前記第１バンド内のキャリア及び前記第２バンド内のキャリアのうち、該第１バンドと該第２バンドとの境界周波数周辺の周波数を有する境界周辺キャリアにおける送信電力を、残りのキャリアの送信電力よりも低くするように構成されていることを要旨とする。
【発明の効果】
【０００８】
以上説明したように、本発明によれば、適切に、ＦＤＤ方式のキャリア及びＴＤＤ方式のキャリアを用いたＣＡを行うことができる無線基地局を提供することができる。
【図面の簡単な説明】
【０００９】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムにおいて行われるＣＡについて説明するための図である。
【発明を実施するための形態】
【００１０】
（本発明の第１の実施形態に係る移動通信システム）
図１乃至図３を参照して、本発明の第１の実施形態に係る移動通信システムについて説明する。
【００１１】
本実施形態に係る移動通信システムは、ＬＴＥ-Ａｄｖａｎｃｅｄ方式をサポートするものであって、Ｐｃｅｌｌ及びＳｃｅｌｌを用いてＣＡを行うことができるように構成されている。
【００１２】
また、本実施形態に係る移動通信システムでは、ＴＤＤ方式用のＢａｎｄ４２（第１バンド）及びＴＤＤ方式用のＢａｎｄ４３（第２バンド）が隣接するように配置されている。
【００１３】
ここで、本実施形態に係る移動通信システムでは、Ｂａｎｄ４２内のキャリア＃１〜＃７及びＢａｎｄ４３内のキャリア＃１〜＃７を用いたＣＡを行うことができるように構成されている。
【００１４】
なお、図１に示すように、無線基地局ｅＮＢは、Ｂａｎｄ４２内のキャリア＃１〜＃７及びＢａｎｄ４３内のキャリア＃１〜＃７を管理するように構成されている。
【００１５】
図２に示すように、本実施形態に係る無線基地局ｅＮＢは、制御部１１と、送信部１２と、受信部１３とを具備している。
【００１６】
制御部１１は、無線基地局ｅＮＢにおける各種制御処理、例えば、ＣＡ制御処理やスケジューリング処理を行うように構成されている。
【００１７】
例えば、制御部１１は、ＦＤＤ方式のキャリア（２ＧＨｚ帯のキャリア）及びＴＤＤ方式のキャリア（３４００ＭＨｚ帯〜３８００ＭＨｚ帯のキャリア）を用いてＣＡを行う場合に、ＦＤＤ方式のキャリアをＰＣＣとし、ＴＤＤ方式のキャリアをＳＣＣとするように構成されていてもよい。
【００１８】
ここで、本実施形態に係る移動通信システムでは、図３に示すように、ＰＣＣは、「Ｆｕｌｌ  Ｄｕｐｌｅｘ  ＦＤＤ」方式のキャリアとして運用されるように構成されていてもよい。
【００１９】
すなわち、かかる場合、ＰＣＣでは、上りリンクにおける送信及び下りリンクにおける送信を同時に行うことができる。
【００２０】
一方、図３に示すように、制御部１１は、Ｂａｎｄ４２内のキャリア及びＢａｎｄ４３内のキャリアを用いてＣＡを行う際に、Ｂａｎｄ４２内のキャリアを上り専用として用い、Ｂａｎｄ４３内のキャリアを下り専用として用いるように構成されていてもよい。
【００２１】
かかる場合、制御部１１は、Ｂａｎｄ４２内のキャリア及びＢａｎｄ４３内のキャリアのうち、Ｂａｎｄ４２とＢａｎｄ４２との境界周波数（３６００ＭＨｚ）周辺の周波数を有する境界周辺キャリア（＃６/＃７）における送信電力を、残りのキャリア（＃１〜＃５）の送信電力よりも低くするように構成されていてもよい。
【００２２】
例えば、制御部１１は、Ｂａｎｄ４２内のキャリア及びＢａｎｄ４３内のキャリアのうち、境界周波数（３６００ＭＨｚ）に近い方から順に、それぞれ所定数（例えば、２個）のキャリアを、境界周辺キャリア（＃６/＃７）とするように構成されていてもよい。
【００２３】
或いは、制御部１１は、Ｂａｎｄ４２内のキャリア及びＢａｎｄ４３内のキャリアのうち、境界周波数（３６００ＭＨｚ）との間の周波数オフセットが所定閾値（例えば、２０ＭＨｚ）以内のキャリアを、境界周辺キャリア（＃６/＃７）とするように構成されていてもよい。
【００２４】
この結果、ＴＤＤ方式用のＢａｎｄ４２内のキャリアを「ＵＬ  ｏｎｌｙ  ＴＤＤ（ＦＤＤ）」キャリアと見なし、ＴＤＤ方式用のＢａｎｄ４３内のキャリアを「ＤＬ  ｏｎｌｙ  ＴＤＤ（ＦＤＤ）」キャリアと見なすことによって、ＳＣＣについて、仮想的に、「Ｈａｌｆ  Ｄｕｐｌｅｘ  ＦＤＤ」方式のキャリアとして運用することができる。
【００２５】
すなわち、かかる場合、ＳＣＣについて、ＴＤＤ方式用のＢａｎｄ４２内のキャリアを、上りリンクにおける送信を行うキャリアとし、ＴＤＤ方式用のＢａｎｄ４３内のキャリアを、下りリンクにおける送信を行うキャリアとし、上りリンクにおける送信及び下りリンクにおける送信を時分割で行うことによって、２つのＴＤＤ方式用のＢａｎｄ４２/４３を用いて、「Ｈａｌｆ  Ｄｕｐｌｅｘ  ＦＤＤ」方式を実現することができる。
【００２６】
送信部１２は、移動局ＵＥに対して、各種信号を送信するように構成されており、受信部１３は、移動局ＵＥから、各種信号を受信するように構成されている。
【００２７】
ここで、「Ｃｒｏｓｓ  Ｃａｒｒｉｅｒ  Ｓｃｈｅｄｕｌｉｎｇ」を行う場合、送信部１２は、移動局ＵＥに対して、ＰｃｅｌｌにおけるＰＤＣＣＨ（Ｐｈｙｓｉｃａｌ  Ｄｏｗｎｌｉｎｋ  Ｃｏｎｔｒｏｌ  Ｃｈａｎｎｅｌ、物理下りリンク制御チャネル）を用いて、ＳｃｅｌｌにおけるＰＤＳＣＨ（Ｐｈｙｓｉｃａｌ  Ｄｏｗｎｌｉｎｋ  Ｓｈａｒｅｄ  Ｃｈａｎｎｅｌ、物理下りリンク共有チャネル）を介した下りデータ信号の受信を指示するためのスケジューリング情報や、ＳｃｅｌｌにおけるＰＵＳＣＨ（Ｐｈｙｓｉｃａｌ  Ｕｐｌｉｎｋ  Ｓｈａｒｅｄ  Ｃｈａｎｎｅｌ、物理上りリンク共有チャネル）を介した上りデータ信号の送信を指示するためのスケジューリング情報を送信するように構成するように構成されている。
【００２８】
また、送信部１２は、「ＲＲＣ  Ｃｏｎｎｅｃｔｉｏｎ  Ｒｅｃｏｎｆｉｇｕｒａｔｉｏｎ」等のＲＲＣメッセージを用いて、移動局ＵＥに対して、Ｓｃｅｌｌにおける上り専用のキャリア及び下り専用のキャリアのペアについて通知することができるように構成されている。
【００２９】
受信部１３は、ＰｃｅｌｌにおけるＰＵＣＣＨ（Ｐｈｙｓｉｃａｌ  Ｕｐｌｉｎｋ  Ｃｏｎｔｒｏｌ  Ｃｈａｎｎｅｌ、物理上りリンク制御チャネル）を介して、ＳｃｅｌｌにおけるＵＣＩ（Ｕｐｌｉｎｋ  Ｃｏｎｔｒｏｌ  Ｉｎｆｏｒｍａｔｉｏｎ）を受信するように構成されていてもよい。
【００３０】
ここで、ＵＣＩには、ＣＱＩ（Ｃｈａｎｎｅｌ  Ｑｕａｌｉｔｙ  Ｉｎｄｉｃａｔｏｒ）や、下りリンク信号に対するＨＡＲＱ信号（ＡＣＫ/ＮＡＣＫ）や、ＳＲ（Ｓｃｈｅｄｕｌｉｎｇ  Ｒｅｑｕｅｓｔ）が含まれる。
【００３１】
なお、受信部１３は、ＳｃｅｌｌにおけるＰＵＳＣＨに対してＰｉｇｇｙ-Ｂａｃｋされた状態のＵＣＩを受信するように構成されていてもよい。
【００３２】
本実施形態に係る発明によれば、２つのＴＤＤ方式用のＢａｎｄ４２/４３を用いて、「Ｈａｌｆ  Ｄｕｐｌｅｘ  ＦＤＤ」方式を実現することができる。
【００３３】
その結果、移動局ＵＥは、ＴＤＤ方式の回路を流用することができるため、ＦＤＤ方式及びＴＤＤ方式の両方に対応する独立した回路を持つ必要が無い。したがって、回路追加に伴う回路内損失が回避できるため、上りリンクにおけるカバレッジエリアが縮小しないというメリットを享受することができる。
【００３４】
以上に述べた本実施形態の特徴は、以下のように表現されていてもよい。
【００３５】
本実施形態の第１の特徴は、ＴＤＤ方式用のＢａｎｄ４２（第１バンド）及びＴＤＤ方式用のＢａｎｄ４３（第２バンド）が隣接するように配置されている移動通信システムで用いられる無線基地局ｅＮＢであって、Ｂａｎｄ４２内のキャリア及びＢａｎｄ４３内のキャリアを用いてＣＡを行う際に、Ｂａｎｄ４２内のキャリアを上り専用として用い、Ｂａｎｄ４３内のキャリアを下り専用として用いるように構成されている制御部１１を具備しており、制御部１１は、Ｂａｎｄ４２内のキャリア及びＢａｎｄ４３内のキャリアのうち、Ｂａｎｄ４２とＢａｎｄ４２との境界周波数（３６００ＭＨｚ）周辺の周波数を有する境界周辺キャリア（＃６/＃７）における送信電力を、残りのキャリア（＃１〜＃５）の送信電力よりも低くするように構成されていることを要旨とする。
【００３６】
本実施形態の第１の特徴において、制御部１１は、Ｂａｎｄ４２内のキャリア及びＢａｎｄ４３内のキャリアのうち、境界周波数（３６００ＭＨｚ）に近い方から順に、それぞれ所定数（２個）のキャリアを、境界周辺キャリア（＃６/＃７）とするように構成されていてもよい。
【００３７】
本実施形態の第１の特徴において、制御部１１は、Ｂａｎｄ４２内のキャリア及びＢａｎｄ４３内のキャリアのうち、境界周波数（３６００ＭＨｚ）との間の周波数オフセットが所定閾値以内のキャリアを、境界周辺キャリア（＃６/＃７）とするように構成されていてもよい。
【００３８】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００３９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００４１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００４２】
ｅＮＢ…無線基地局
１１…制御部
１２…送信部
１３…受信部
【図１】
2013243483.tif 000003
【図２】
2013243483.tif 000004
【図３】
2013243483.tif 000005